(57)【要約】  本発明は、ユーザ(12)の皮膚変化(20)のビデオを獲得するためのデバイス(22)に関し、該ユーザ(12)は、少なくとも1つの皮膚変化(20)を含む顔(14)を有し、該デバイス(22)は:  -  フレーム(30)と、  -  該フレーム(30)がユーザ(12)の顔(14)上のユーザ(12)の目(18)の正面に置かれた時にユーザ(12)の顔(14)の一部が直接または間接的にカメラ(34)の視野内にあるように、フレーム(30)上に固定されているカメラ(34)であり、顔(14)の前記一部は少なくとも1つの皮膚変化(20)を含み、顔(14)の前記一部の画像がカメラ(34)により獲得される、カメラ(34)とを含む。
2020505969.tif 000002
【特許請求の範囲】
【請求項１】
-  ユーザ(12)の皮膚変化(20)のビデオを獲得するためのデバイス(22)であって、前記ユーザ(12)は、少なくとも1つの皮膚変化(20)および2つの目(18)を含む顔(14)を有し、前記皮膚変化(20)は永久的な変化または前記ユーザ(12)の前記顔(14)の動きの間に出現する変化であり、
-  前記ユーザ(12)の前記顔(14)上の前記ユーザ(12)の前記目(18)の正面に置かれることが意図されているフレーム(30)と、
-  前記フレーム(30)上に固定されているカメラ(34)であり、視野を含み、前記フレーム(30)が前記ユーザ(12)の前記顔(14)上の前記ユーザ(12)の前記目(18)の正面に置かれた時に前記ユーザ(12)の前記顔(14)の一部が直接または間接的に前記カメラ(34)の前記視野内にあるように、前記フレーム(30)上に固定されており、前記顔(14)の前記一部は前記もしくは少なくとも1つの皮膚変化(20)を含み、前記顔(14)の前記一部の画像が前記カメラ(34)により獲得されることが意図されている、カメラ(34)と
を含む、デバイス(22)。
【請求項２】
-  前記カメラ(34)が前記フレーム(30)が前記ユーザ(12)の前記顔(14)上の前記ユーザ(12)の前記目(18)の正面に置かれるように固定された時、直接または間接的に前記カメラ(34)の視野内にある前記顔(14)の前記一部は、前記ユーザ(12)の一方の目(18)の辺縁部の一部である、請求項1に記載のデバイス(22)。
【請求項３】
-  前記ユーザ(12)の各目(18)が虹彩(19)を含み、前記フレーム(30)が前記ユーザ(12)の前記顔(14)上の前記ユーザ(12)の前記目(18)の正面に置かれた時、前記カメラ(34)の前記視野は、直接または間接的に、前記虹彩(19)を除いて前記ユーザの前記顔(14)の前記一部を中心としている、請求項1または2に記載のデバイス(22)。
【請求項４】
-  前記デバイス(22)は、前記フレーム(30)に固定されている少なくとも1つの照明ユニット(36A)を含み、前記照明ユニット(36A)は発光ダイオードを含むことが有利であり、前記照明ユニット(36A)は前記カメラ(34)の前記視野内で前記顔(14)の少なくとも一部を直接または間接的に照らすことができ、それは前記カメラ(34)により獲得される、請求項1から3のいずれか一項に記載のデバイス(22)。
【請求項５】
-  前記カメラ(34)は、前記カメラ(34)により獲得される、前記顔(14)の前記一部に直接向かって配向されていない対物レンズを含み、また、前記デバイス(22)は、前記画像が獲得される、前記顔(14)の前記一部により発せられる光波の少なくともいくらかが前記カメラ(34)の前記対物レンズへ反射するように配向されている、第1の光反射ユニット(36B)を含む、請求項1から4のいずれか一項に記載のデバイス(22)。
【請求項６】
-  前記第1の光反射ユニット(36B)は、前記カメラ(34)により獲得される前記ビデオが立体ビデオであるように配置されている2つの鏡(62A、62B)を含む、請求項5に記載のデバイス(22)。
【請求項７】
-  前記照明ユニット(36A)は、前記カメラ(34)により獲得されることが意図されている、前記顔(14)の前記一部に直接向かって配向されておらず、また、前記デバイス(22)は、前記照明ユニット(36A)から発せられる前記光波の少なくともいくらかが前記顔(14)の前記一部へ反射するように配向されている第2の光反射ユニットを含み、前記第1の光反射ユニット(36B)は前記第2の光反射ユニットと同期していることが有利である、請求項4と組み合わせて請求項5または6に記載のデバイス(22)。
【請求項８】
-  前記フレーム(30)は、前記ユーザ(12)の前記目(18)の正面に配置されることが意図されている2つの円部または半円部(53)と、各々が円部または半円部(53)を前記ユーザ(12)の耳(16)へ接続しているテンプル(52)とを含み、各テンプル(52)は前記ユーザ(12)の前記耳(16)上に載ることが意図されており、前記カメラ(34)は前記テンプル(52)の1つに固定されている、請求項1から7のいずれか一項に記載のデバイス(22)。
【請求項９】
-  ユーザ(12)の皮膚変化(20)の特性評価のためのシステム(10)であって、前記ユーザ(12)は、少なくとも1つの皮膚変化(20)および2つの目(18)を含む顔(14)を有し、前記皮膚変化(20)は永久的な変化または前記ユーザ(12)の前記顔(14)の動きの間に出現する変化であり、
-  請求項1から8のいずれか一項に記載の、ビデオを獲得するためのデバイス(22)と、
-  前記ビデオから、前記カメラ(34)により獲得された、前記ユーザ(12)の前記顔(14)の前記一部における前記皮膚変化(20)を特性評価することができるデータ処理ユニット(24)と
を含む、システム(10)。
【請求項１０】
-  前記データ処理ユニット(24)は、
-  前記ビデオ上で、獲得用デバイス(22)の前記カメラ(34)により獲得される、前記ユーザ(12)の前記顔(14)の前記一部における前記皮膚変化(20)を確認することと、
-  各確認された皮膚変化(20)の少なくとも1つの特性を決定することと、
-  前記皮膚変化(20)を特性評価するために、前記決定された特性または前記決定された特性のいくつかをデータベースと比較すること
ができる、請求項9に記載のシステム(10)。
【請求項１１】
-  請求項9または10に記載のシステムを活用して、ユーザ(12)の皮膚変化(20)を確認する方法であって、
-  前記フレーム(30)を、前記ユーザ(12)の前記顔(14)上の前記ユーザ(12)の前記目(18)の正面に配置するステップと、
-  前記カメラ(34)により、前記ユーザ(12)の前記顔(14)の前記一部のビデオを獲得するステップと、
-  前記ビデオから、前記データ処理ユニット(24)により、前記カメラ(34)により獲得される、前記ユーザ(12)の前記顔(14)の前記一部における前記皮膚変化(20)を特性評価するステップと
を含む、方法。
【請求項１２】
-  特性評価する前記ステップは、
-  前記ビデオ上で、前記カメラ(34)により獲得された、前記ユーザ(12)の前記顔(14)の前記一部における前記皮膚変化または前記皮膚変化(20)のいくつかを確認するステップと、
-  各確認された皮膚変化(20)の少なくとも1つの特性を決定するステップと、
-  前記皮膚変化(20)を特性評価するために、前記決定された特性をデータベースと比較するステップと
を含む、請求項11に記載の特性評価方法。
【請求項１３】
-  前記カメラ(34)により獲得された、前記ユーザ(12)の前記顔(14)の前記一部は、前記ユーザ(12)の一方の目(18)の辺縁部の少なくとも一部である、請求項11または12に記載の特性評価方法。
【請求項１４】
-  獲得する前記ステップは、好ましくは継続して、有利には1日のうちの8:00と22:00の間に、数時間に亘って実施される、請求項11から13のいずれか一項に記載の特性評価方法。
【請求項１５】
-  ユーザ(12)の皺などの皮膚変化(20)を特性評価するために、前記特性評価は少なくとも1つの機能試験ステップを含む、請求項9または10に記載のシステム(10)の使用。
【請求項１６】
-  前記皮膚変化(20)上での化粧品の塗布後に、前記ユーザ(12)の前記皮膚における1つまたは複数の変化(20)の進化を判定するための、請求項9または10に記載のシステム(10)の使用。
【発明の詳細な説明】
【技術分野】
【０００１】
本発明は、ユーザの皮膚変化、詳細には皺タイプの皮膚変化、のビデオを獲得するためのデバイスに関する。また、本発明は、そのような皮膚変化の特性評価のための関連システムに関する。また、本発明は、そのようなシステムに関連する特性評価方法に関する。また、本発明は、そのようなシステムの使用に関する。
【背景技術】
【０００２】
皮膚変化が、最も詳細には皮膚の起伏であり、詳細には皺である。変形形態として、皮膚変化は微小起伏、目の下のたるみ、毛穴、吹き出物、ほくろ、傷痕、または顔に存在する任意の他の突出もしくは小凹点から成る。
【０００３】
また、皮膚変化が、皺または皮膚変色などの顔貌タイプの変化である可能性がある。
【０００４】
より詳細には、皮膚の起伏が、ユーザの皮膚から、詳細には睫毛から突出している毛またはケラチン繊維を含み得る。
【０００５】
皺を目立たなくするために、「皺取り」効果を有する化粧品が開発されてきた。そのような化粧品の目的は、皮膚の起伏を一様にすることである。「化粧品」は、より一般的に、化粧品に関する、2009年11月30日付けの欧州議会および理事会のEC Regulation 1223/2009において規定されている製品である。
【０００６】
また、具体的には他のタイプの皮膚変化を処置するための化粧品が存在する。たとえばかつ詳細には、目の下の隈を取る製品および変色防止製品である。
【０００７】
化粧品の効果を評価しかつ老化のメカニズムに関するさらなる理解を得るために、評価方法が開発されてきた。
【０００８】
詳細には、皺を静的に評価する、言い換えれば経時的に、正確な決められた瞬間に得られたデータを活用する方法が知られている。たとえば、そのようなデータは画像、スキャン、および測定を含む。
【０００９】
しかし、皮膚変化が、ユーザの態度および無制御で多様な照明条件に応じて、ユーザの環境においてユーザにより認識されるので、そのような静的方法により得られるデータが皮膚変化、詳細には皺、が調査される実際の条件の完全な多様性を表さない。
【００１０】
さらに、行われる測定が、決められた瞬間における皮膚変化の状態を表す。しかし、日常生活では、たとえばユーザが顔をしかめたかまたはその目を閉じた時、またはユーザが鏡の前で顔の向きを変えた時、前記皮膚変化、詳細には皺、の認知が動的である。
【００１１】
さらに、通常の顔の動きも、第1の皺、詳細にはいわゆる表情皺、の出現に関与する。カラスの足跡とも呼ばれる目の輪郭の周囲の皺が、約25〜30才の年齢で最初に出現する。目の輪郭の周囲の皮膚はより薄く、繰り返される笑みに因り非常によく動く。したがって、1つの課題が、詳細には予測目的のために、そのような動きに関する情報を得ることから成る。
【００１２】
睫毛タイプの変化に関して、瞬きすることおよび瞼を閉じることから成る通常の動き、ならびに1日の間の湿度または温度に対する変化などのストレスも、睫毛に影響を及ぼす可能性がある。したがって、別の課題が、実際の条件下での化粧品の効果および抵抗性を評価することから成る。
【００１３】
したがって、そのような静的方法は、調査される皮膚変化、詳細には皺、に対する動的変化を再構成することに使用され得ない。
【００１４】
また、皺を動的に評価する方法が知られている。たとえば、仏国特許出願公開第3014675(A)号が、動きにおける顔の臨床徴候を評価する方法を記載している。
【００１５】
しかし、過去に用いられた方法は標準的な条件下で使用され得るに過ぎず、言い換えれば、ユーザの実生活に関して代表的なものではない。
【先行技術文献】
【特許文献】
【００１６】
【特許文献１】仏国特許出願公開第3014675(A)号
【発明の概要】
【発明が解決しようとする課題】
【００１７】
したがって、動的にかつ日常の条件下で、リアルタイムで皮膚変化の画像を獲得するためのデバイスが必要である。
【課題を解決するための手段】
【００１８】
このことを達成するために、本発明の目的は、ユーザの皮膚変化のビデオを獲得するためのデバイスであり、該ユーザは、少なくとも1つの皮膚変化および2つの目を含む顔を有し、皮膚変化は永久的な変化またはユーザの顔の動きの間に出現する変化であり、該デバイスは、
-  ユーザの顔上のユーザの目の正面に置かれることが意図されている(ここでは未来形「that will be(であろう)」でも表現され得る)フレームと、
-  該フレーム上に固定されているカメラであり、視野を含み、フレームがユーザの顔上のユーザの目の正面に置かれた時にユーザの顔の一部が直接または間接的にカメラの視野内にあるように、フレーム上に固定されており、顔の前記一部は少なくとも1つの皮膚変化を含み、顔の一部の画像がカメラにより獲得されることが意図されている、カメラと
を含む。
【００１９】
したがって、フレームに関連するカメラの設備において、皮膚変化の変動が実際の条件下での活動中に直接調査されるように、カメラはユーザの顔に対して固定される。
【００２０】
詳細には、そのようなデバイスは、皺などの皮膚変化、およびしたがって隠れた、関連化粧品、詳細には「皺取り」製品の効果を特性評価するのに使用され得る。
【００２１】
リアルタイムで獲得されるビデオから特性評価が行われるので、日常の条件下での皺などの皮膚変化の発生を動的に監視することが用いられ得る。したがって、そのようなシステムは、1日の間の皺の時折の変化に関するさらなる理解を助けることができる。また、特性評価は、1日の間に、変化する環境条件に暴露されている(太陽、温度、湿度への暴露)皮膚変化の変動を捕らえることを可能にする。このことを達成するために、デバイスは、そのような環境パラメータを測定することができる追加センサを含み得る。
【００２２】
そのようなシステムは、皮膚変化、詳細には皺、の画像にアクセスすることができ、その結果、皮膚変化の可視性は、各瞬間にかつ実際の条件下で、測定され得る。このように獲得されるデータは、分離した運動(笑み、しかめっ面、表情、言語、肉体的努力)、調査されている皮膚変化に関する環境パラメータ、およびそれらがその日のうちにどのように変化するのか、および1日の終わりにおける可視性に対するそれらの影響(詳細には皺、隈等に因る「疲れた顔」の印象)についてのさらなる理解をもたらすことができる。
【００２３】
また、そのようなシステムは、製品の寿命の間中かつ重要な瞬間に、「皺取り」製品などの化粧品の利益を評価するのに使用され得る。重要な瞬間の例が、「皺取り」化粧品もしくは「皺取りファンデーション」などの化粧品の塗布直後、またはスポーツの時間の直後、またはユーザが化粧直しの必要を感じるまさにその瞬間である。
【００２４】
したがって、獲得用デバイスが、動的にかつ日常の条件下で、リアルタイムで皮膚変化の画像を獲得するために使用され得る。
【００２５】
本発明によるデバイスは、単独でまたは任意の技術的に可能な組合せで採用される以下の特性のうちの1つまたはいくつかを含み得る:
-  フレームがユーザの顔上のユーザ目の正面に置かれた時に、直接または間接的にカメラの視野内にある顔の一部がユーザの目の一方の周縁部の一部であるように、カメラがフレーム上に固定されている。
【００２６】
カメラのそのような配置が、ユーザのカラスの足跡のビデオを獲得するために特に適切である。
【００２７】
-  ユーザの目の各々は虹彩を含み、フレームがユーザの顔上のユーザの目の正面に置かれている時、カメラの視野は、直接または間接的に、虹彩を除いてユーザの顔の一部を中心としている。
【００２８】
したがって、カメラのそのような配置は、獲得される画像が、虹彩の追跡(視標追跡)システムにより獲得されると考えられる画像と異なるようになっている。
【００２９】
-  デバイスは、フレームに固定されている少なくとも1つの照明ユニットを含み、該照明ユニットは発光ダイオードを含むことが有利であり、照明ユニットは、カメラの視野内で、顔の少なくとも一部を直接または間接的に照らすことができ、それはカメラにより獲得される。
【００３０】
そのような光源が、カメラにより獲得される、ユーザの顔の一部を照明することができ、したがって、顔のそのような部分に存在する皮膚変化の可視性を向上させることができる。
【００３１】
必要に応じて、光源は明るさ条件を均一にし、それらの再現性を確実にすることもできる。また、光源は、画像がキャプチャされた後、該画像のより良い画像処理を可能にする。したがって、カメラにより獲得される、ユーザの顔の一部の画像が、より良い質、詳細にはより良い光度および/またはより良いコントラストを有する。
【００３２】
-  カメラは、該カメラにより獲得される顔の一部に直接向かって配向されていない対物レンズを含み、また、デバイスは、画像が獲得される、顔の一部により発せられる光波の少なくともいくらかがカメラの対物レンズへ反射するように配向されている第1の光反射ユニットを含む。
【００３３】
-  該第1の光反射ユニットは、カメラにより獲得されるビデオが立体ビデオであるように配置されている2つの鏡を含む。
【００３４】
したがって、第1の光反射ユニットは、遠隔でカメラを配置することを可能にし、それはデバイスを小型にすることに関与する。詳細には、そのような第1の光反射ユニットは、キャプチャされる区域(ユーザの顔の一部)の画像がカメラの対物レンズへ反射するように、光路を捕捉することを可能にする。
【００３５】
-  照明ユニットは、カメラにより獲得されることが意図されている、顔の一部に直接向かって配向されておらず、また、デバイスは、照明ユニットにより発せられる光波の少なくともいくらかが顔の前記一部へ反射するように配向されている第2の光反射ユニットを含み、第1の光反射ユニットは該第2の光反射ユニットと同期していることが有利である。
【００３６】
第2の光反射ユニットは、光源が遠隔で設置されることを可能にする。詳細には、そのような第2の光反射ユニットは、キャプチャされる前記区域を照明するために、光源により発せられる光波のいくらかを、キャプチャされる区域へ送ることを可能にする。光源はカメラの対物レンズに近接して配置され、かつ第1の光反射ユニットと第2の光反射ユニットとは同期していることが好ましい。したがって、デバイスはより小型である。
【００３７】
-  フレームは、ユーザの目の正面に配置されることが意図されている2つの円部または半円部と、各々が円部または半円部をユーザの耳へ接続するテンプルとを含み、各テンプルはユーザの耳の一方に載ることが意図されており、カメラはテンプルの1つに固定されている。
【００３８】
そのような円部または半円部は、ユーザが普段の眼鏡と異なるデバイスを着用していることを実感しないように、ユーザに適合されている補正レンズをぴったり合わせられる。これにより、獲得用デバイスの分別が最適化される。
【００３９】
また、本発明は、ユーザの皮膚変化の特性評価のためのシステムに関し、該ユーザは、少なくとも1つの皮膚変化および2つの目を含む顔を有し、皮膚変化は永久的な変化またはユーザの顔の動きの間に出現する変化であり、該システムは、
-  前述されているようにビデオを獲得するためのデバイスと、
-  ビデオからの、カメラにより獲得された、ユーザの顔の一部における皮膚変化を特性評価することができるデータ処理ユニットと
を含む。
【００４０】
そのようなシステムは、獲得用デバイスのカメラにより獲得されるビデオを使用して、ユーザの皮膚の変化を特性評価することができる。
【００４１】
本発明によるシステムは以下の特性を有し得る:
-  データ処理ユニットは:
-  ビデオ上で、獲得用デバイスのカメラにより獲得される、ユーザの顔の一部における皮膚変化を確認することと、
-  各確認された皮膚変化の少なくとも1つの特性を決定することと、
-  皮膚変化を特性評価するために、決定された特性または決定された特性のいくつかをデータベースと比較すること
ができる。
【００４２】
本発明の別の目的が、前述されているシステムを使用して、ユーザの皮膚の変化を特性評価する方法であり、該方法は:
-  フレームを、ユーザの顔上のユーザの目の正面に配置するステップと、
-  カメラにより、ユーザの顔の一部のビデオを獲得するステップと、
-  ビデオから、データ処理ユニットにより、カメラによって獲得された、ユーザの顔の一部における皮膚変化を特性評価するステップと
を含む。
【００４３】
本方法は、単独でまたは任意の技術的に可能な組合せで採用される以下の特性のうちの1つまたはいくつかを含み得る:
-  該特性評価ステップは:
-  ビデオ上で、カメラにより獲得された、ユーザの顔の一部における皮膚変化または皮膚変化のいくつかを確認するステップと、
-  各確認された皮膚変化の少なくとも1つの特性を決定するステップと、
-  皮膚変化を特性評価するために、決定された特性をデータベースと比較するステップと
を含む。
【００４４】
-  カメラにより獲得された、ユーザの顔の一部はユーザの目の一方の周縁部の少なくとも一部である。
【００４５】
-  獲得する前記ステップは、好ましくは継続して、有利には1日のうちで8:00と22:00の間に、数時間に亘って実施される。
【００４６】
-  本方法は、カメラにより獲得される、ユーザの顔の一部における皮膚変化に化粧品が塗布される、事前のステップを含む。
【００４７】
また、本発明は、ユーザの皺などの皮膚変化を特性評価する、前述されているもののようなシステムの使用に関し、前記特性評価は少なくとも1つの機能試験ステップを含む。
【００４８】
また、本発明は、前述されているもののようなシステムの使用に関し、前記皮膚変化上での化粧品の塗布後に、ユーザの皮膚における1つまたは複数の変化の進化を判定する。
【００４９】
本発明は、単に例として提示される以下の説明を、添付図面を参照して読むと、より理解し易くなるであろう。
【図面の簡単な説明】
【００５０】
【図１】ユーザ、および本発明による、ユーザの皺の特性評価のためのシステムの概略図である。
【図２】図1のシステムの獲得用デバイスの概略斜視図である。
【図３】図2のデバイスの別の概略図である。
【図４】図2のデバイスの照明ユニットの概略図である。
【図５】図2のデバイスの照明ユニットの変形形態の動作の概略図である。
【発明を実施するための形態】
【００５１】
本願の目的のために、「ビデオ」という用語は、特定の関心区域の複数の連続画像を意味する。そのような画像は、関心アプリケーションに応じて、所定の継続時間の間に所定の周波数で獲得される。
【００５２】
明細書の全体に亘って、「横方向の」という用語は、ユーザの目の中心を通過する直線に対して定義されている。「長手方向の」という用語は、水平面において横方向に対しておおよそ垂直な方向に関して定義されており、言い換えれば、ユーザの顔とユーザの頭の背面との間に延在している。長手方向および横方向に対して垂直な方向は「垂直」方向と呼ばれる。
【００５３】
ユーザ12の皮膚変化の特性評価のためのシステム10が図1に示されている。
【００５４】
皮膚変化20は永久的な変化、またはユーザ12の顔14の動きの間に出現する変化である。
【００５５】
以下では、皮膚変化は皺である。変形形態として、皮膚変化は微小起伏、目の下のたるみ、毛穴、吹き出物、ほくろ、傷痕、または任意の他の、ユーザ12の顔に存在する突出もしくは小凹点から成る。
【００５６】
1つの変形形態では、皮膚変化20は、目の周りの隈または皮膚変色のなどの顔色タイプの変化である。
【００５７】
別の変形形態では、皮膚変化20は、ユーザ12の皮膚から、詳細には睫毛から突出している毛またはケラチン繊維を含む。
【００５８】
ユーザ12は顔14と耳16とを有する。該顔14は、各々虹彩19を備えた2つの目18と、少なくとも1つの皺20とを含む。
【００５９】
たとえば、該皺20は「力学的な」皺(mechanical wrinkle)と呼ばれる。そのような力学的な皺は、ユーザの顔における筋肉の繰り返される収縮の結果として出現する。そのような皺は「表情皺」としても知られている。たとえば、力学的な皺はユーザの額上の横皺、「ライオン皺」と呼ばれるユーザの眉間の皺、および「カラスの足跡皺」と呼ばれるユーザの目の極端にある皺である。
【００６０】
さらにまたは変形形態として、ユーザ12の皺20は静的な皺である。そのような静的な皺は、皮膚組織の全体的な弛緩、重力、および紫外線による老化に因る。たとえば、そのような静的な皺は、「苦味皺」と呼ばれる、口端と顎との間に発生する皺、または「ほうれい線」と呼ばれる、鼻の側部から口端までの皺である。
【００６１】
皺特性評価システム10は、ビデオ獲得用デバイス22とデータ処理ユニット24とを含む。
【００６２】
ビデオ獲得用デバイス22は、ユーザ12の皺20、詳細にはユーザ12の顔14上に位置する皺20、のビデオを獲得するように構成されている。そのような皺は、たとえば、カラスの足跡皺である可能性がある。
【００６３】
図1から図3までに示されている実施形態では、デバイス22は、フレーム30と、カメラ34と、少なくとも1つの照明ユニット36Aと、光反射ユニット36Bと、制御ユニット37と、バッテリ38と、記憶カード40とを含む。さらに、また、デバイス22はセンサ42および/またはマイクロホン44を含む。
【００６４】
フレーム30はユーザ12の顔14上のユーザ12の目18の正面に置かれる。
【００６５】
たとえば、フレーム30は眼鏡のフレームであってもよい。
【００６６】
フレーム30は、たとえばアルミニウムで作製されていてもよい。そのような材料には、該フレーム30の装着時にユーザ12の快適さを向上させる、軽量であるという利点がある。「軽量素材」という表現は、立方センチメートル当たり3グラム(g/cm3)以下の密度を有する材料を意味する。
【００６７】
さらに、そのような材料は、カメラ34および照明ユニット36Aの動作中に、いかなる不快なノイズの付加も回避するように送風機を使用することなく、フレーム30を冷却するのを助ける。
【００６８】
変形形態として、フレーム30は任意の他の軽量素材および/または熱消散材料から作製されている。
【００６９】
また、フレーム30は前方フレーム50と2つのテンプル52とを含む。
【００７０】
該前方フレーム50は、長手方向軸X-X'に沿って長手方向に、横方向軸Y-Y'に沿って横方向に、垂直軸Z-Z'に沿って垂直方向に延在している。そのような長手方向軸X-X'、横方向軸Y-Y'、垂直軸Z-Z'は図1および図2に示されている。
【００７１】
図1に示されている例では、前方ブリッジ50は2つの半円部53を含む。
【００７２】
フレーム30がユーザ12の顔14上に配置されている時、各半円部53はユーザ12の一方の目18に対向して配置される。各半円部53は、補正レンズなどの、眼鏡の1つのレンズを保持する。
【００７３】
変形形態として、前方ブリッジ50は各半円部53に取って代わる円部を含む。
【００７４】
各テンプル52は、長手方向軸X-X'に沿って、前方ブリッジ50の端部の一方から突出している。
【００７５】
各テンプル52はユーザ12の一方の耳16上に載る。フレーム30がユーザ12の顔14上に配置されている時、各テンプル52は半円部53の一方をユーザ12の一方の耳16に接続する。
【００７６】
テンプルの一方52Aが、カメラ34と照明ユニット36Aと光反射ユニット36Bとを保持するハウジング54を含む。
【００７７】
図2および図3においてわかる通り、ハウジング54は、横方向軸Y-Y'に沿った2つの横壁54B、長手方向軸X-X'に沿った2つの長手方向壁54C、および垂直軸Z-Z'に沿った2つの垂直壁54Dにより範囲を定められている空洞部54Aで構成されている。
【００７８】
他方のテンプル52Bは、バッテリ38を保持するハウジング55を含む。
【００７９】
図1から図4までに示されている実施形態では、また、フレーム30は、フレーム30がユーザ12の顔14上に配置された時にフレーム30の位置を調整するシステム56を含む。
【００８０】
該調整システム56は2つのロッド57を含む。各ロッド57はフレーム30の互いに異なるテンプル52上に取り付いている。
【００８１】
また、各ロッド57は、対応するテンプル52上で、並進状態で変位し得る。これにより、フレーム30がユーザ12の顔14に配置されている時にロッド57が任意のユーザ12の耳16と接触して阻止されることが可能になる。したがって、フレーム30は、ユーザ12のすべての形態に適合するように、容易に調整される。
【００８２】
カメラ34は対物レンズと視野とを含む。カメラの視野はカメラの画角に関して画定されている。該カメラの視野αは次の式により示される:
【００８３】
【数１】
2020505969.tif 000003
【００８４】
ここで、
・dは、光学像、言い換えればカメラのフィルムもしくはセンサ、の縁部または対角線の長さであり、
・fは、対物レンズの焦点距離であり、
・arctan(X)は、Xの逆正接である。
【００８５】
フレーム30がユーザ12の顔14上のユーザ12の目18に対向して置かれた時にユーザ12の顔14の一部が直接または間接的にカメラ34の視野内にあるように、カメラ34はフレーム30上に固定されており、顔14の前記一部は皺などの皮膚変化または少なくとも1つの皮膚変化20を含む。顔14の前記一部の画像がカメラ34により獲得される。
【００８６】
カメラが前記対象の画像を獲得することができるように、カメラの対物レンズが前記対象に直接向かって配向されている場合、対象がカメラの視野内に直接存在すると考えられる。カメラの対物レンズが前記対象に直接向かって配向されていないが、前記対象の画像を、たとえば反射により、対物レンズへ反射することができる表面に向かって配向されている場合、対象がカメラの視野内に間接的に存在すると考えられる。
【００８７】
フレーム30がユーザ12の顔14上のユーザ12の目18の正面に置かれた時、カメラ34の直接または間接の視野は、虹彩19ではなく、ユーザの顔14の一部を中心としていることが好ましい。したがって、ユーザの虹彩19は、カメラ34により獲得される、ユーザ12の顔14の画像の中心に存在していない。
【００８８】
図1から図4までに示されている実施形態では、カメラ34は、ユーザ12の目18を巡る周縁部の一部のビデオを獲得するために、フレーム30のハウジング54内に配置されている。より正確には、該周縁部はユーザ12の一方の目18の輪郭であり、変化はたとえばカラスの足跡皺である。
【００８９】
図2および図4からわかるように、カメラ34はフレーム30のテンプル52Aのハウジング54内の、たとえば長手方向軸X-X'に沿って前方ブリッジ50から最も遠い長手方向壁54C上に、固定されていることが好ましい。
【００９０】
カメラ34の光軸は、水平面において、言い換えれば長手方向軸X-X'および横方向軸Y-Y'により画定されている平面において、前方ブリッジ50に向かって配向されていることが好ましい。
【００９１】
変形形態として、カメラ34の視野がユーザ12の顔14の関心部に対応するように、カメラ34は空洞部54Aの別の壁上に配置されている。
【００９２】
照明ユニット36Aは、フレーム30に、より正確にはフレーム30のテンプル52の1つに固定されている。照明ユニット36Aは、直接または間接的にカメラ34の視野内にありかつ該カメラ34により獲得される、顔14の一部を照らすことができる。
【００９３】
図1から図4までに示されている実施形態では、照明ユニット36Aはテンプル52Aのハウジング54内に配置されている。
【００９４】
図1から図4までに示されている実施形態では、照明ユニット36Aは少なくとも1つの発光ダイオード60を含む。
【００９５】
図4に示されている例では、照明ユニット36Aは3つの発光ダイオード60を含む。
【００９６】
好ましくはかつ図2および図4においてわかるように、発光ダイオード60はカメラ34と同じ壁54C上に配置されている。これにより、カメラ34によって獲得される画像に十分な照明がもたらされる。
【００９７】
発光ダイオード60はカメラ34の辺り一帯に分布していることが有利である。このことは、カメラ34により獲得される画像の均一な照明を可能にする。
【００９８】
各発光ダイオード60は個々にかつ/または自動で起動され得ることが好ましい。このことは、周囲の照明条件に応じて、かつ詳細には最適でない周囲照明条件を補償するために、照明を調整することを可能にする。
【００９９】
随意に、照明ユニット36Aは、ダイオード60の使用中にユーザ12の目18を保護するキャッシュ部(cache)を含む。
【０１００】
随意に、ダイオード60は「LEDホイール」と呼ばれるホイール上に配置されており、ホイールが回転すると、ダイオード60により発せられる光の入射角が変化するようになっている。このことは、皮膚変化20の可視性に関するより完全な情報をまたは3次元の情報さえも発見することを可能にする。
【０１０１】
カメラ34が、該カメラ34により獲得される顔14の一部に直接向かって配向されていない対物レンズを含む場合、光反射ユニット36Bは、画像が獲得される、顔14の一部により発せられる光波の少なくともいくらかがカメラ34の対物レンズへ反射するように配向される。
【０１０２】
たとえば、光反射ユニット36Bは、画像が獲得される、顔14の一部により発せられかつカメラ34の対物レンズに送られる光波を反射するように配向されている鏡62を含む。したがって、鏡62はカメラ34の視野内にある。このことは、カメラ34が、該鏡により反射されかつカメラ34の直接の視野内に存在しない、ユーザ12の顔14の一部の画像を獲得することを可能にする。顔14の一部は、次いで、鏡を介して間接的に視野内に存在する。
【０１０３】
さらに、照明ユニット36Aが、カメラ34により獲得される、顔14の一部に直接向かって配向されていない場合、光反射ユニット36Bは、照明ユニット36Aにより発せられる光波の少なくともいくらかが顔14の前記一部へ反射するように配向される。照明ユニット36Aとカメラ34の対物レンズとは、次いで、詳細には同一テンプル52上で、互いに近接して配置されることが好ましい。
【０１０４】
したがって、光反射ユニット36Bの発光ダイオード60により発せられる光波の少なくともいくらかが、鏡62上で、カメラ34により獲得される、ユーザ12の顔14の一部へ反射するように、鏡62はハウジング54内に配置されている。したがって、顔14の一部は発光ダイオード60からの光波により照明される。
【０１０５】
変形形態として、デバイス22は2つの互いに異なる光反射ユニットを含み、第1は、画像が獲得される、顔14の一部により発せられる光波の少なくともいくらかがカメラ34の対物レンズへ反射するように配向されており、第2は、照明ユニット36Aにより発せられる光波の少なくともいくらかが顔14の前記一部へ反射するように配向されている。
【０１０６】
図2においてわかるように、鏡62は、長手方向軸X-X'に沿って、ダイオード60が配置されている長手方向壁54Cの反対側の長手方向壁54C上に配置されている。
【０１０７】
鏡62は、たとえば平面鏡である。
【０１０８】
発光ダイオード60は、鏡62から10センチメートル(cm)以下の距離の所に配置されていることが好ましい。このことは、結果的に小型デバイス22をもたらす。さらに、鏡62に近接している発光ダイオード60の存在は、たとえば異なる温度の1つの場所から別の場所へ移動する場合、鏡62上の結露を防止する。
【０１０９】
照明ユニット36Aは、鏡62上で反射する光波の照明の方向がユーザ12の観察方向とそれほど異ならないように配置されていることが有利である。これにより、ユーザ12の顔14の一部の皮膚変化20の照明が最適化され得る。さらに、そのような配置は外部光の一部を遮ることができ、したがって、光が強すぎる太陽光などの環境の存在に因りビデオの獲得を妨げることを回避することができる。
【０１１０】
1つの変形形態では、カメラ34により獲得されるビデオが立体ビデオ、言い換えれば3次元のビデオ、であるように、光反射ユニット36Bは、互いに対してかつカメラ34に対して配置されている2つの鏡62A、鏡62Bを含む。
【０１１１】
たとえば、図5に示されているように、鏡62Aおよび鏡62Bは前後に配置されており、カメラ34の視野の一部が一方の鏡62A上での対象63の画像の反射から生じるように、カメラ34の視野のその他の部分が他方の鏡62B上での対象63の画像の反射から生じるように、ずらされている。
【０１１２】
別の例では、鏡62Aおよび鏡62Bは枢動することができる。最初に、鏡62Bがカメラ34の視野内で鏡62Aにより隠されるように、鏡62A、鏡62Bは前後に配置されている。カメラ34は、次いで、鏡62A上での反射に対応する第1の画像を獲得することができる。鏡62Aは、次いで、カメラ34の視野が鏡62Bおよびしたがって鏡62B上での反射に対応するように枢動することができる。カメラ34は、次いで、鏡62B上での反射に対応する第2の画像を獲得することができる。該第1の画像と該第2の画像とは、立体画像を得るためにマージされ得る。
【０１１３】
別の変形形態として、鏡62の辺り一帯に拡散パネルが配置されている。たとえば、該拡散パネルはすりガラスで作製されていてもよい。そのような拡散パネルは、散光を有する照明を作り出すのに使用され得る。
【０１１４】
制御ユニット37は、カメラ34およびまた照明ユニット36Aの起動または動作停止を制御するために、カメラ34および照明ユニット36Aと通信することができる。
【０１１５】
また、制御ユニット37は、記憶カード40に記憶された情報を抽出し、それをデータ処理ユニット24へ送信することができる。
【０１１６】
たとえば、制御ユニット37はプロセッサとメモリとユーザインターフェースとを含む。
【０１１７】
制御ユニット37は、ユーザ12の電子デバイスにより遠隔制御され得ることが好ましい。そのような遠隔制御は、たとえば、ワイファイまたはブルートゥース（登録商標）により行われてもよい。該電子デバイスは、たとえば、専用のアプリケーションがインストールされているスマートフォンまたはコンピュータであってもよい。たとえば、電子デバイスは、カメラ34により獲得される画像を表示して、カメラ34もしくは照明ユニット36Aを調整するのに使用され得るか、またはリアルタイムでカメラ34を制御するのに使用され得る。
【０１１８】
たとえば、制御ユニット37はテンプル52A上のハウジング54内に配置されていてもよい。
【０１１９】
バッテリ38はカメラ34、照明ユニット36A、および制御ユニット37に電力を供給するように構成されている。したがって、そのようなバッテリ38は、後で家庭用エネルギー源に接続される必要がない、獲得用デバイス22のエネルギーの自給を確実にする。
【０１２０】
バッテリ38は、フレーム30に、より正確にはフレーム30のテンプル52のうちの1つに固定されている。
【０１２１】
図1から図4までに示されている実施形態では、バッテリ38はテンプル52Bのハウジング55内に固定されている。カメラ34および照明ユニット36Aをすでに支持しているテンプル52A上になく、テンプル52B上にあるバッテリ38の位置は、様々な要素の重量をフレーム30の2つのテンプル52A、52B上で分配している。これはユーザ12にとってより快適である。
【０１２２】
バッテリ38はクリップによりハウジング55内に固定されていることが好ましい。このことは、バッテリ38が放電した時にバッテリ38を交換し易くする。
【０１２３】
さらに、また、獲得用デバイス22は、カメラ34と同じテンプル52A上に配置されておりかつ前記カメラ34に近接している追加バッテリ70を含む。そのような追加バッテリ70は、バッテリ38が交換されている時にも、カメラ34および照明ユニット36Aに電源の保証をもたらし得る。
【０１２４】
記憶カード40は、カメラ34により獲得されたビデオを格納するために、カメラ34に接続されている。したがって、そのような記憶カード40はカメラ34の記憶容量を拡張し得る。
【０１２５】
記憶カード40はフレーム30に固定されている。記憶カード40は、カメラ34に近接しているように、テンプル52Aのハウジング54内に配置されていることが好ましい。
【０１２６】
記憶カード40は、たとえばマイクロSDカードであってもよい。そのような記憶カード40は高速でビデオを格納するのに使用され得る。
【０１２７】
センサ42はユーザ12の環境に関する情報を提供することができる。そのようなセンサ42はユーザ12の環境に関する情報を提供することができる。そのような情報は、次いで、カメラ34により獲得された、ユーザ12の顔14の一部上の皮膚変化20の特性と関連付けられることが可能である。
【０１２８】
たとえば、そのような情報は、センサ42がGPS(Global Positioning System:全地球測位システム)である場合はユーザ12の地理的位置、センサ42が温度センサである場合はユーザ12の環境の温度、センサ42が湿度計である場合はユーザ12の環境の湿度、またはセンサ42が太陽光センサである場合はユーザ12の環境内の太陽光、であってもよい。
【０１２９】
さらに、センサ42は、ユーザ12の環境に向かって、たとえばユーザ12と接触している人に向かって、配向されているカメラである。このことは、ユーザ12の皺20の動きと、ユーザ12とその環境との間の相互作用とを関連付けることを可能にする。
【０１３０】
マイクロホン44は、たとえば、フレーム30に、たとえばフレーム30のテンプル52のうちの1つに固定されていてもよい。
【０１３１】
マイクロホン44は、たとえば、ユーザ12により立てられる音を拾い上げることができる。結果として、ユーザ12の皺20の動きと、ユーザ12による発音との間を関連付けることができる。
【０１３２】
さらにかつ随意に、デバイス22を調節し易くするために、カメラ34、照明ユニット36A、光反射ユニット36B、制御ユニット37、記憶カード40、センサ42、およびマイクロホン44のうちの少なくとも1つの物品がフレーム30上にクリップにより固定される。
【０１３３】
データ処理ユニット24は獲得用デバイス22からある距離の所に配置されており、デバイス22の制御ユニット37に接続されている。該接続はワイファイまたはブルートゥース（登録商標）接続などのワイヤレス接続であることが好ましい。
【０１３４】
変形形態として、データ処理ユニット24はデバイス22内に組み込まれており、デバイス22のフレーム30に固定されている。
【０１３５】
データ処理ユニット24は、デバイス22により獲得されるビデオを使用して、カメラ34により獲得される、ユーザ12の顔14の一部の皮膚変化20を特性評価することができる。
【０１３６】
データ処理ユニット24はメモリ70とプロセッサ72とを含む。
【０１３７】
メモリ70は、プロセッサ72により動作させられると、カメラ34により獲得された、ユーザ12の顔14の一部における皮膚変化20を特性評価することができる、格納されたアプリケーション80を含有する。
【０１３８】
また、メモリ70は、所定の皮膚変化に関する情報が格納されているデータベース81を含む。
【０１３９】
アプリケーション80は、ビデオ上で、獲得用デバイス22のカメラ34により獲得される、ユーザ12の顔14の一部における皮膚変化20を確認することができる。
【０１４０】
そのような確認は、たとえば、獲得されたビデオの各画像における勾配の検出により行われて、判定された勾配に相当する皮膚変化を確認してもよい。
【０１４１】
また、アプリケーション80は、各確認された皮膚変化20の特性の1つまたは複数を決定することができる。各皮膚変化の特性は、たとえば、該膚変化の大きさ、色、深さまたは形状である。
【０１４２】
また、アプリケーション80は、皮膚変化20を特性評価するために、決定された特性をデータベース81と比較することができる。
【０１４３】
皮膚変化20がデータベース81内の皮膚変化に相当する場合、該皮膚変化はデータベース81内の皮膚変化と同一タイプであると確認される。
【０１４４】
該確認された皮膚変化20がデータベース81に付加されることが有利である。
【０１４５】
ここで、特性評価システム10を使用する方法を説明する。
【０１４６】
最初に、獲得用デバイス22のフレーム30はユーザ12の顔14上のユーザ12の目18の正面に配置される。
【０１４７】
制御ユニット37はカメラ34および照明ユニット36Aの起動を制御する。
【０１４８】
該照明ユニット36Aは、場合によりユーザ12の環境の照明を考慮して、ユーザ12の顔14の一部を照明する。
【０１４９】
並行して、カメラ34はユーザ12の顔14の一部のビデオを獲得する。該獲得されたビデオはリアルタイムで記憶カード40に記憶される。
【０１５０】
獲得用デバイス22がセンサ42またはマイクロホン44を含む場合、そのような要素は、ユーザ12の環境またはユーザ12による発音に関する補足情報を提供することができる。
【０１５１】
制御ユニット37は、次いで、カメラ34により獲得されたビデオならびにセンサ42および/またはマイクロホン44により測定される任意の情報を、データ処理ユニット24へ送信する。
【０１５２】
特性評価アプリケーション80と相互作用して動作する、データ処理ユニット24のプロセッサ72は、ビデオ上で、カメラ34により獲得された、ユーザ12の顔14の一部の皮膚変化20を確認し、次いで、各確認された皮膚変化20の特性を決定する。
【０１５３】
特性評価アプリケーション80と相互作用するプロセッサ72は、皮膚変化20を特性評価するために、決定された特性をデータベース81と比較する。
【０１５４】
皮膚変化20がデータベース81内の皮膚変化に相当する場合、該皮膚変化20はデータベース81内の皮膚変化と同一タイプであると確認される。
【０１５５】
該確認された皮膚変化20はデータベース81に追加されることが有利である。
【０１５６】
したがって、システム10は、皺などの皮膚変化、およびしたがって隠れた、「皺取り」化粧品などの化粧品の効果を特性評価するのに使用され得る。
【０１５７】
また、獲得用デバイス22には、完全にワイヤレスであり、したがってユーザ12を邪魔することなく使用され得るという利点がある。
【０１５８】
したがって、獲得用デバイス22は、動的にかつ日常の条件下で、リアルタイムで皮膚変化の画像を獲得するために使用され得る。
【０１５９】
図1から図4までに示されている実施形態では、カメラ34および照明ユニット36Aは、ユーザ12の目の輪郭、詳細にはユーザ12のカラスの足跡皺、のビデオを獲得するために、フレーム30上に配置されている。しかし、ユーザ12の皮膚変化の他のタイプのビデオが獲得され得るように、カメラ34および照明ユニット36Aはユーザ12の顔14上の他の位置に配置され得ることを、当業者は理解するであろう。たとえば、カメラ34および照明ユニット36Aは、ユーザ12の額上の皺を獲得するために、フレーム30上に配置され得ると考えられる。
【０１６０】
また、他のタイプの皮膚変化(目の下の皺、額の皺、目の下のたるみ、隈)を含めて、ユーザ12の顔14の他の部分のビデオが同時に獲得され得るように、他のカメラ34、照明ユニット36A、および光反射ユニット36Bが獲得用デバイス22に追加され得ることを、当業者は理解するであろう。
【０１６１】
さらに、システム10は、ユーザ12が少なくとも1つの機能テストを実施した時にユーザ12の皮膚変化を特性評価するのに使用され得る。たとえば、機能テストがユーザ12による所定の音の再現、または渋面などの、顔の所定の動きの再現である。仏国特許出願公開第3014675号はそのような機能テストの例を示している。
【符号の説明】
【０１６２】
10  システム、皺特性評価システム
12  ユーザ
14  顔
16  耳
18  目
19  虹彩
20  皮膚変化、皺
22  ビデオ獲得用デバイス
24  データ処理ユニット
30  フレーム
34  カメラ
36A  照明ユニット
36B  光反射ユニット
37  制御ユニット
38  バッテリ
40  記憶カード
42  センサ
44  マイクロホン
50  前方フレーム、前方ブリッジ
52、52A、52B  テンプル
53  半円部、円部
54、55  ハウジング
54A  空洞部
54B  横壁
54C  長手方向壁
54D  垂直壁
56  システム、調整システム
57  ロッド
60  発光ダイオード
62、62A、62B  鏡
63  対象
70  追加バッテリ、メモリ
72  プロセッサ
80  アプリケーション
81  データベース
arctan(X)  Xの逆正接
d  カメラのフィルムもしくはセンサの縁部または対角線の長さ
f  対物レンズの焦点距離
X-X'  長手方向軸
Y-Y'  横方向軸
Z-Z'  垂直軸
α  (カメラの)視野
【図１】
2020505969.tif 000004
【図２】
2020505969.tif 000005
【図３】
2020505969.tif 000006
【図４】
2020505969.tif 000007
【図５】
2020505969.tif 000008
【国際調査報告】
2020505969.tif 000009
2020505969.tif 000010
2020505969.tif 000011